Podtech/llm-jp-corpus-v4-ja_patent huggingface dataset:
(57)【要約】【課題】従来技術では、ペットに定められた時間に餌を与える場合には、飼い主もしくは世話役等がその時間帯に在宅し、餌を与えることが不可欠であったが、任意の時間にタイマーをセットすることにより、飼い主もしくは世話役等が不在の場合に於いても、定められた任意の時間に餌を与えられる機能構成を有するペット用食器を提供することである。【解決手段】本発明はペットに定められた任意の時間に餌を与える場合には、飼い主もしくは世話役等がその時間帯に在宅し餌を与えることが不可欠であったが、任意の時間にタイマーをセットすることにより、飼い主もしくは世話役等が不在の場合に於いても、定められた時間に餌を与えられる事を可能にする機能構成をもつ、ペット用食器を提供することを特徴とすることである。【選択図】 図３
2011036138.tif 000002
【特許請求の範囲】
【請求項１】
飼い主もしくは世話役等が不在時に於いても、ペットに定められた任意の時間に餌を与える事を可能にする機能を有することを特徴するペット用食器。
【請求項２】
任意の時間にタイマーをセットすることにより、その定められた任意の時間に餌皿の上蓋が開く機能構成を有するペット用食器。
【請求項３】
餌皿の上蓋が開きかけるときからチャイムがなり、開き終わると一定の時間をおいて、チャイムが鳴りやむ機能構成を有するペット用食器。
【発明の詳細な説明】
【技術分野】
【０００１】
本発明は、飼い主もしくは世話役等が不在時に於いても、ペットに定められた時間に餌を与える事を、可能にする機能を有することを特徴とするペット用食器に関する事である。
【背景技術】
【０００２】
従来技術では、ペットに定められた時間に餌を与える場合には、飼い主もしくは世話役等がその時間帯に在宅し、餌を与えることが不可欠なため不合理であった。
【発明の概要】
【発明が解決しようとする課題】
【０００３】
従来技術では、ペットに定められた時間に餌を与える場合には、飼い主もしくは世話役等がその時間帯に在宅し、餌を与えることが不可欠であったが、任意の時間にタイマーをセットすることにより、飼い主もしくは世話役等が不在の場合に於いても、定められた任意の時間に餌を与えられる機能構成を有するペット用食器を提供することを課題とする。
【課題を解決するための手段】
【０００４】
以上の課題を解決するために、本発明はペットに定められた任意の時間に餌を与える場合には、飼い主もしくは世話役等がその時間帯に在宅し餌を与えることが不可欠であったが、任意の時間にタイマーをセットすることにより、飼い主もしくは世話役等が不在の場合に於いても、定められた時間に餌を与えられる事を可能にする機能構成をもつ、ペット用食器を提供することを特徴とすることである。
【発明の効果】
【０００５】
本発明は、飼い主もしくは世話役等が不在の場合でも、任意の時間に、本器付帯のタイマーをセットすることにより、ペットに定められた任意の時間に餌を与えられる機能構成をもつため、飼い主も安心して外出でき、かつ合理的な機能構成を有するペット用食器を提供する。
【図面の簡単な説明】
【０００６】
【図１】本発明の一実施形態を示すペット用食器の概念図である。
【図２】ペット用食器の概念図である。
【図３】ペット用食器の部品構成図である。
【図４】ペット用食器の電気配線図である。
【発明を実施するための形態】
【０００７】
この発明の一実施形態を詳しく説明する。本発明の請求項１に 記載の発明は、飼い主もしくは世話役等が不在時に於いても、ペットに定められた任意の時間に餌を与える事を可能にする機能を有することを特徴するペット用食器である。
【０００８】
本発明の請求項２記載の発明は、タイマーをセットすることにより、定められた任意の時間に餌を与えられる機能構成を有するペット用食器である。
【０００９】
本発明の請求項３記載の発明は、餌皿の上蓋が開きかけるときから、開き終わり、一定の時間をおいてチャイムが鳴りやむ、機能構成を有するペット用食器である。
引続き、本発明の実施例を図面に基づき詳しく説明する。
【実施例】
【００１０】
まず図１、図２は本発明の一実施例にかかるペット用食器の概念図であり、図３、部品構成図、図４、は電気配線図を示すものである。
【００１１】
図１によると、ペット用食器上蓋２、が閉じている状態の概念図を示すものである。
【００１２】
図２は、ペット用食器上蓋２、が開いた状態の概念図を示すものである。
【００１３】
図３は、ペット用食器の部品構成図であり、ペット用食器上蓋２、が開閉した状態を示すものである。
【００１４】
図４は、ペット用食器上蓋２，を開く装置に内蔵された、タイマー４、と、駆動用モーター５、リミットスイッチ１１、の関係を示す電気配線図である。
【００１５】
図３に示すように、ペット用食器上蓋２、が閉じた状態に於いて、本体１、に備えられている、タイマー４、をペット用食器上蓋２、を開けたい任意の時間に設定する。
【００１６】
設定された時間に達すると、タイマー４、を介して、駆動用モーター５、を作動させ、一次側ギャー６、と二次側ギャー７、を駆動させる事により、駆動用シャフト８、が９０度回転し、取り付けステー９、に取り付けられているペット用食器上蓋２、が開く事になる。
【００１７】
ペット用食器の上蓋２、が９０度開くことにより、駆動用シャフト８、に設置された、リミットスイッチ１１、により、作動用突起１２、に接触する事で、電源ユニット１３、からの電流を遮断する事により、駆動用モーター５、と、チャイムユニット１０、の作動を停止する。
【００１８】
ペット用食器の２，上蓋が９０度開いた状態で停止しているので、ペットが安心して食事することができる機能を有するペット用食器である。
「他の実施形態」
実施形態では、形状及は図示されたもの以外の形態機能のものでもよい。
【符号の説明】
【００１９】
１            本体
２            上蓋
３            内皿
４            タイマー
５            駆動用モーター
６            一次側ギャー
７            二次側ギャー
８            回転シャフト
９            取付ステー
１０          チャイムユニット
１１          リミットスイッチ
１２          リミットスイッチ作動用突起
１３          電源ユニット
【図１】
2011036138.tif 000003
【図２】
2011036138.tif 000004
【図３】
2011036138.tif 000005
【図４】
2011036138.tif 000006
(57)【要約】【課題】従来技術では、市販のペット水飲み皿とペットボトルとを組み合わせて使用する場合、市販のペット水飲み皿の洗浄と、ペットボトルの入れ替えの際、市販のペット水飲み皿と、ペットボトルを組み合わせた状態で、逆さにし、市販のペット水飲み皿とペットボトルを分離することが必要であり、市販のペット水飲み皿に残った水がこぼれるため、非常に不合理であるとともに、さらには水を節約する機能を有することを特徴するストッパーを提供することを課題とする。【解決手段】従来技術では、市販のペット水飲み皿とペットボトルとを組み合わせて使用する場合、ペット水飲み皿と、ペットボトルを組み合わせた状態で、逆さにし、ペット水飲み皿とペットボトルを分離することが必要であり、ペット水飲み皿に残った水がこぼれるため、非常に不合理であるとともに、さらには水を節する機能を有することを特徴するストッパーを提供することである【選択図】 図１
2011036137.tif 000002
【特許請求の範囲】
【請求項１】
市販のペット水飲み皿と、ペットボトルとの組み合わせ使用事における、市販のペット水飲み皿の清掃と、ペットボトルの取替を簡便にする機能を有することを特徴とするストッパー。
【発明の詳細な説明】
【技術分野】
【０００１】
本発明は、市販のペット水飲み皿に用いるストッパーに関する事である。
【背景技術】
【０００２】
従来技術では、市販のペット水飲み皿とペットボトルとを組み合わせて使用する場合、市販のペット水飲み皿の洗浄と、ペットボトルの入れ替えの際、ペット水飲み皿とペットボトルを組み合わせた状態で、逆さにし、ペット水飲み皿とペットボトルを分離することが必要であり、ペット水飲み皿に残った水がこぼれるため、非常に不合理であった。
【発明の概要】
【発明が解決しようとする課題】
【０００３】
従来技術では、市販のペット水飲み皿とペットボトルとを組み合わせて使用する場合、市販のペット水飲み皿の洗浄と、ペットボトルの入れ替えの際、ペット水飲み皿と、ペットボトルを組み合わせた状態で、逆さにし、ペット水飲み皿とペットボトルを分離することが必要であり、ペット水飲み皿に残った水がこぼれるため、非常に不合理であるとともに、さらには水を節する機能を有することを特徴するストッパーを提供することを課題とする。
【課題を解決するための手段】
【０００４】
前述の課題を解決するために、本発明は、従来技術では、市販のペット水飲み皿とペットボトルとを組み合わせて使用する場合、市販のペット水飲み皿の洗浄と、ペットボトルの入れ替えの際、ペット水飲み皿と、ペットボトルを組み合わせた状態で、逆さにし、ペット水飲み皿とペットボトルを分離することが必要であり、ペット水飲み皿に残った水がこぼれるため、非常に不合理であるとともに、さらには水を節する機能を有することを特徴するストッパーを提供することである
【発明の効果】
【０００５】
本発明は、市販のペット水飲み皿と、ペットボトルとを組み合わせて使用する場合、市販のペット水飲み皿の洗浄と、ペットボトルの入れ替えの際、市販のペット水飲み皿とペットボトルを組み合わせたままの状態で、逆さにしたうえで、市販のペット水飲み皿と、ペットボトルを分離する必要があり、市販のペット水飲み皿に残った水がこぼれるため、取替、洗浄するにあたり、作業等が非常に不合理であるとともに、水を無駄にしていた、作業の不合理さを解消し、尚かつ、水を節約する機能を有することを特徴するストッパーを提供することである。
【図面の簡単な説明】
【０００６】
【図１】本発明の一実施形態を示すストッパーの概念図である。
【図２】従来技術の概念図である。
【図３】ストッパー本体の組立構造図である。
【図４】ストッパーの部品構成図である。
【発明を実施するための形態】
【０００７】
この発明の一実施形態を詳しく説明する。本発明の請求項１に 記載の発明は、市販のペット水飲み皿の洗浄と、ペットボトルの入れ替えの際、市販のペット水飲み皿とペットボトルを組み合わせた状態で、逆さにし、市販のペット水飲み皿とペットボトルを分離することが必要であり、市販のペット水飲み皿に残った水がこぼれることを防止し、さらには水を節する機能を有するストッパーある。
【０００８】
本発明は、市販のペット水飲み皿と、ペットボトルとを、ねじ式構造で、簡便に装着可能なストッパーである。
【０００９】
本発明は、市販のペット水飲み皿と、ペットボトルとの間の水の遮断、通水を、プッシュ式で簡便に作業が出来るストッパーである。
引続き、本発明の実施例を図面に基づき詳しく説明する。
【実施例】
【００１０】
まず、図１、図２は本発明の一実施例にかかる市販のペット水飲み皿用ストッパーの概念図であり、図３、ストッパー本体組立構造図、図４、はストッパーの部品構成図を示すものである。
【００１１】
図１によると、市販のペット水飲み皿３，ペットボトル１との接続部の間に、ストッパー２を取り付けた状態の概念図を示すものである。
【００１２】
図３は、ストッパー２の本体、ストッパー２、のストッパー弁体４、の組立構造図である。
【００１３】
図３に示す様に、通常使用時には、ストッパー２、内蔵のストッパー弁体４の、Ｃ１側を押し入れることにより、ストッパー弁体４によって、市販のペット水飲み皿３，とペットボトル１、との間が、通水状態になることを示すものである。
【００１４】
図４は、市販のペット水飲み皿３，の洗浄、ペットボトル３の入れ替え時には、ペット水飲み皿１，ペットボトル３との間を、ストッパー２、内蔵されたストッパー弁体４の、Ｃ２側を押し戻すことにより市販ペット水飲み皿３，とペットボトル１との間が、通水状態を遮断することを示すものである。
【００１５】
図４で示す様に、通水を遮断した状態で、ペットボトル１に、ストッパー２、を接続した状態で、ペット水飲み皿３、から取り外すことにより、ペットボトル３内の水がこぼれないでペットボトル３の取替ができ、尚かつペット水飲み皿１の水もこぼれることなく、洗浄が可能である。
【００１６】
前述の如く、水のこぼれもなく、かつ、水を無駄なく利用できる機能を有する、ペット水飲み皿用ストッパーである。
【００１７】
「他の実施形態」
実施形態では、形状及は図示された以外の形態、機能のものでもよい。
【符号の説明】
【００１８】
１            ペットボトル
２            ストッパー本体
３            市販のペット水飲み皿
４            ストッパー弁体
【図１】
2011036137.tif 000003
【図２】
2011036137.tif 000004
【図３】
2011036137.tif 000005
【図４】
2011036137.tif 000006
(57)【要約】【課題】  作業療法士のリハビリでは時間が限られるけれども、この機能回復補助具を使用すれば自分自身が、何時、何処でも使えて、それによって機能回復を早め、スポーツ選手等も同じように何時、何処でもこの動作を繰り返し行うことで、指や手の握力や前腕部、上腕部の筋力強化を促進することを目的とする。【解決手段】  本発明は、機能回復や、機能強化したい手にはめた５指手袋であって、手を丸める方向への機能を強化する場合にはこれを助勢する収縮力を発揮する弾性補助材を、手を広げる方向の機能を強化する場合には手の指を伸ばす方向への力を助勢する拡張力を発揮する弾性補助材を、手袋の内側をあるいは外側に設けたもので、これを繰り返し使用することで、手の機能回復を早め、または機能強化を図るものである。【選択図】図２
2011036494.tif 000002
【特許請求の範囲】
【請求項１】
機能回復あるいは機能強化したい手にはめた５指手袋で、この手袋は合成樹脂、ゴム、布のうちのいずれかを主体に構成されていて、手を握る方向の機能を強化する場合には手を丸める方向への力を助勢する収縮力を発揮する弾性補助材を、手を広げる方向の機能を強化する場合には手の指を伸ばす方向への力を助勢する拡張力を発揮する弾性補助材を手袋の内側あるいは外側に設けたものであり、手を握ったりまたは開いたりするかあるいは指と指の相互間を開いたり閉じたりすることで指や手の機能回復あるいは強化を図る機能回復補助具。
【発明の詳細な説明】
【技術分野】
【０００１】
本発明は、負傷した人の指、手及び腕などの機能回復を図る上で有効な補助具であり、更に詳しく述べれば医療の現場ではリハビリテーションの費用の削減を、あるいはあらゆるスポーツを志す選手においては指の筋力を鍛え、手の握力や前腕部、上腕部の強化を図ることの出来る補助具に関するものである。
【背景技術】
【０００２】
機能障害者、例えば脳血栓や脳梗塞等の脳の障害又は怪我に起因して手に不自由を生じた人が多数いる。本発明はこれらの人の指や手の機能回復を早めるのに役立ち、あるいはスポーツ選手等の指及び握力や前腕部、上腕部の筋力強化を図るのに適した補助具を提供するものである。
【先行技術文献】
【特許文献】
【０００３】
【特許文献１】実登３１４６９５９  これまでこの種の指あるいは手の機能回復補助具は市販商品には見当たらず、あっても手首に一方を固定し他端を指先にはめるやり方のものしか見当たりません、又はテニスボールのように軟らかいものや小さめのゴムボールがあるだけであった。そしてこれらボールを用いた各人に応じてボールを握ったり、開いたり動作を繰り返すことで機能回復(リハビリテーション)がそれぞれなされていた。
【発明の開示】
【発明が解決しようとする課題】
【０００４】
本発明は、このようなこれまでの障害者の状態やスポーツ選手等の強化部分に応じた機能回復補助具が無いという課題を解決し、障害者にとって指又は手や前腕部や上腕部の機能回復を早め、スポーツ選手等にとっては筋力強化に適した補助具を提供するものである。
【課題を解決するための手段】
【０００５】
本発明は、拡張力あるいは、収縮力を備え、使用者の症状、すなわち手の開きにくい、あるいは手を握りにくいといった症状に見合った機能、素材で作った５指手袋であることから、手を握ったり、開いたりすることで指や手に負荷が掛かったり、動きを助勢したりすることで、これらのことが機能回復あるいは筋力強化になる。更に一段の増強として指を鍛えて指や手の機能回復を早めるとともに、指、手の握力、前腕部や上腕部の筋力強化を図ることも出来るものである。
【発明の効果】
【０００６】
本発明は、医療の現場では作業療法士がいなくても、機能障害やスポーツ選手等が自分自身でリハビリが行え、機能回復を早め、又スポーツ選手等にとっては大事な指、手の握力、前腕部や上腕部の筋力強化を図るのに適した補助具であり、医療の現場では作業療法士等の、関連人件費の削減にも役立つものである。
【図面の簡単な説明】
【０００７】
【図１】本発明の補助具を手に付けて手を開いた図である。
【図２】その手の甲側に設けた線状の機能材を示す図である。
【図３】本発明の補助具を手に付けて手を握った図である。
【図４】その手の平側に設けた線状の機能材を示す図である。
【発明を実施するための形態】
【０００８】
以下本発明の実施形態における捕助具を、図１から図４に基づいて説明する。
図１は傷害を負った手(ここでは右手）に本発明の５指手袋をはめて手を開いた状態を示す。
図中、１は手袋、２はその手首部分であり、３は手首部分から指先にかけて手の甲部分に施した線状の収縮力をもった機能材である。図２はこの線状の機能材を示す図である。
図３は手の平と指にまたがった手の平側に機能材を施した５指手袋を示し、４は手首部分から指先にかけて手の平側に施した線状の拡張力をもった機能材である。
【０００９】
図１に示す手を開いた状態から握った状態、あるいは図３に示す手を握った状態から開いた状態のいずれの場合でも、その動作の際収縮力または拡張力を持った機能材が作用して、指、手を開いたり握ったりすることの動作に負荷を加えたり、あるいはその動きを助勢するものである。従って、このような動作を繰り返し行うことで、手や指を握ったり開いたりする機能回復を早め、あるいは負荷に打ち勝つ力を備えることで指や手、前腕部、上腕部の筋力強化にもつながる。
【００１０】
次に右手用機能回復補助具について説明する。線バネのような機能材を施した５指手袋の寸法は、使用者の指先から手首を固定する長さとする。このとき機能材を各指の力に合った強さにそれぞれ調整する、収縮力、拡張力を備えた５指手袋を両方の手にはめて、手を開いたり握ったりを繰り返すことで、指や手の握力、腕の機能回復を早めて、指や手、前腕部、上腕部の筋力を強化することが出来る。
以上は機能回復補助具の説明であるが、手のサイズには個人差があるため、使用者の年齢、体格に合わせて採寸し、その寸法に合わせて形成し、使用できるようにすることが大切である。
【符号の説明】
【００１１】
１  ５指手袋
２  ５指手袋の手首を固定する部分
３  手首の固定部分と各指とにまたがって施した機能材
【図１】
2011036494.tif 000003
【図２】
2011036494.tif 000004
【図３】
2011036494.tif 000005
【図４】
2011036494.tif 000006
(57)【要約】【課題】消火器及び消火器ボックスの設置場所は、視認性重視のため通路や入り口付近の邪魔になりやすい場所に置かれ前に物を置かれたり移動させられたりして火災発生時に消火器が有るにもかかわらず自主消火が失敗し易い原因だった、特に一般家庭では（我が家の場合；台所の電子レンジの後ろに有りこれは多分我が家では私しか知らないだろう）行方不明の消火器が消火器が有るにもかかわらず火災発時に消火器が有るにもかかわらず自主消火が失敗し易い原因だ【解決手段】消火器ボックスに手動式昇降装置を取付けることにより消火器ボックスを頭上収納型にし視認性が良く邪魔にならない場所に設置する。【選択図】図２
2011036406.tif 000002
【特許請求の範囲】
【請求項１】
手動式昇降装置を取付けて頭上収納型にした消火器ボックス              
【発明の詳細な説明】
【技術分野】
【０００１】
本発明は、消火器ボックスに手動式昇降装置を取付けることにより、消火器ボックスを頭上収納型にする
【背景技術】
【０００２】
消火器収納構造において消火器ボックスの設置場所は取扱者の腰付近に設置となっていて主として台所のガスレンジ火災には即対応可能だ
【０００３】
本発明の場合、一般家庭のみならず商店、工場において視認性と利便性を両立させ火災の発生時にいかに対応し易く邪魔にならない場所に置くか
【先行技術文献】
【特許文献】
【０００４】
【特許文献１】特開平１０-０１５１０４
【発明の概要】
【発明が解決しようとする課題】
【０００５】
解決しようとする問題点は、消火器及び消火器ボックスの設置場所が視認性重視のため通路や入り口付近の邪魔になりやすい場所に置かれ前に物を置かれたり移させられたりして火事などの非常時に消火器が有るにもかかわらず自主消火が失敗し易い、特に一般家庭では（我が家の場合；台所の電子レンジの後ろに有りこれは多分我が家では  私しか覚えてないだろう）行方不明の消火器が火災発生時に消火器が有るにもかかわらず自主消火が失敗し易い原因だ、消火器ボックスの設置場所を、いかに視認性が良く邪魔にならない場所にするか
【課題を解決するための手段】
【０００６】
本発明は、消火器ボックスに手動式昇降装置を取付け消火器ボックスを頭上収納型にする
【発明の効果】
【０００７】
この消火器ボックスを一般家庭では玄関の下駄箱の一番上又は台所の吊り戸棚等のデッドスペースにこの消火器ボックスを組み込む事により視認性と利便性を両立させ火災の発生時に自主消火し易い
【０００８】
工場や店舗などでも作業や通行の邪魔にならない場所に設置でき視認性と利便性を両立させ火災の発生時に自主消火し易い
【図面の簡単な説明】
【０００９】
【図１】図１は消火器ボックスと  引き出された消火器の正面図
【図２】図２は消火器ボックスと  引き出された消火器の側面図
【符号の説明】
【００１０】
Ａ；消火器本体  
Ｂ；受け台  
Ｃ；アーム  
Ｄ；スプリングアーム
Ｅ；消火器ボックス
Ｆ；シャフト  
Ｇ；ホールダー
【発明を実施するための形態】
【００１１】
この消火器ボックスを一体型のユニットとして下駄箱や吊り戸棚に組み込む
【産業上の利用可能性】
【００１２】
新築やリフォーム時に、玄関や台所の頭上のクローゼットに設置し、工場や店舗では通常の消火器ボックスとして入り口や通路の頭上に収納し通行中に触って倒れたりせず作業の邪魔にならない
【図１】
2011036406.tif 000003
【図２】
2011036406.tif 000004
(57)【要約】【課題】強風により物干し竿と洗濯物等の落下および洗濯物の揺れを減少させる。【解決手段】物干し竿の両端を竿受けに固定する。溝付リングを竿に固定し、溝にハンガーのフックを架けハンガーの横移動を阻止する。竿に二個の支柱付リングを固定する。支柱にハンドルを回転自在に接続し、ストッパーによりハンドルを垂直の位置で停止させる。スプリングの力によりストッパーを押してハンドルを外側方向に移行習性にする。ハンドルにクリップを接続し、クリップをハンガーに挟んでハンガーを固定する。【選択図】  図１
2011036395.tif 000002
【特許請求の範囲】
【請求項１】
物干し竿（１）の両端を竿受け（２）に留め具（３）により固定し、物干し竿の移動と落下を阻止する。溝付リング（４）を物干し竿に嵌めてネジ（５）により固定し、溝付リングにフック（６）を架け、ハンガー（７）の横移動を阻止する。ハンガーの左右の横枠（８）の真上に支柱付リング（１０）を物干し竿に固定する。支柱付リングにハンドル（１２）を軸ピン（１１）で接続し、ハンドルを回転自在にする。支柱に歯止め（１４）を接続し、ハンドルの回転時にスットパー（１３）を歯止めに接触させてハンドルの停止位置を垂直にする。ストッパーと支柱付リングの間にスプリング（１５）を嵌めスプリングの力によりストッパーを押してハンドルを外側方向に移行習性にさせる。クリップ（９）を軸ピンでシリンダーに接続する。シリンダー（１６）をハンドルに嵌めシリンダーをスライド自在にし、ネジによりシリンダーをハンドルに固定と固定解除可能にし、ハンガーの横枠に合わせてクリップの高さを調整する。手により左右のハンドルを垂直にして横枠にクリップを挟んでハンガーを固定するハンガー固定機。
【発明の詳細な説明】
【技術分野】
【０００１】
本発明は、強風時に物干し竿とハンガーを固定機で固定し、物干し竿・ハンガー・洗濯物等の落下と洗濯物等の揺れを減少させる。
【背景技術】
【０００２】
従来のハンガーは、強風により移動しやすく洗濯物等の揺れが拡大しベランダ等では使用不能なり、乾燥機を利用する場合があるので非常に不経済である。
【０００３】
本発明は、物干し竿とハンガーを固定し洗濯物等の揺れを減少させる。
【発明の開示】
【発明が解決しようとする課題】
【０００４】
本発明は、上記の問題点に鑑み洗濯物等の揺れを減少させる、ハンガー固定機を提供せんとするものである。
【課題を解決するための手段】
【０００５】
物干し竿の両端を竿受けに固定する。溝付リングを竿に固定し、溝にハンガーのフックを架けハンガーの横移動を阻止する。竿に二個の支柱付リングを固定し、両方の支柱付リングにハンドルを回転自在に接続し、ハンドルの上部のストッパーを歯止めに接触させてハンドルを垂直に停止させる。ストッパーと支柱の間にスプリングを嵌めスプリングの力によりハンドルを外側方向に移行習性にする。ハンドルにシリンダーを嵌め、シリンダーをスライド自在にし任意の高さでネジにより固定する。クリップをシリンダーに接続し、クリップを横枠に挟んでハンガーを固定する。
【発明の効果】
【０００６】
乾燥機の利用度が減少され経済的である、洗濯物の落下と出し入れの人力が減少される。
【発明を実施するための最良の形態】
【０００７】
高層住宅の場合は、特に強風が発生するので本発明が最適であり、今後ますます高層住宅が建設され本発明の需要度が拡大され、同時に産業界が活性化される。
【実施例１】
【０００８】
最初のみ取り付け、竿受けに物干し竿を留め具で固定する、溝付リングと固定機をネジで物干し竿に固定する、シリンダーをスライドさせてハンガーの横枠の高さにしてネジでハンドルにシリンダーを固定する。
設定後に溝付リングにハンガーのフックを架け、洗濯物をハンガーに吊るし、左右の固定機のハンドルを内側に寄せ左右のクリップをハンガーの枠に挟む。
取り外しの場合は、左右のクリップを外し、手を離すと自動的に左右のハンドルが外側に回転移動する、フックを溝付リングから外す。
【産業上の利用可能性】
【０００９】
本発明の構造が簡単で資材が少量のためコスト安なので産業上の利用可能性あり。
【図面の簡単な説明】
【００１０】
【図１】洗濯物を省略し、左側の固定機は固定解除され右側の固定機はハンガーを固定した状態を示した正面図である。
【符号の説明】
【００１１】
１・・物干し竿                  １０・支柱付リング
２・・竿受け                    １１・軸ピン
３・・留め具                    １２・ハンドル
４・・溝付リング                １３・ストッパー
５・・ネジ                      １４・歯止め
６・・フック                    １５・スプリング
７・・ハンガー                  １６・シリンダー
８・・横枠                      １７・洗濯バサミ
９・・クリップ                  １８・固定機
【図１】
2011036395.tif 000003
【手続補正書】
【提出日】平成21年11月13日(2009.11.13)
【手続補正１】
【補正対象書類名】特許請求の範囲
【補正対象項目名】全文
【補正方法】変更
【補正の内容】
【特許請求の範囲】
【請求項１】
物干し竿（１）の移動と落下を阻止するために、物干し竿（１）の両端を竿受け（２）に固定する留め具（３）と、
物干し竿（１）に嵌めてネジ（５）により固定される溝付リング（４）であって、溝付リング（４）にハンガー（７）のフック（６）を架けることで、ハンガー（７）の横移動を阻止する溝付リング（４）と、
物干し竿（１）の、ハンガー（７）の左右の横枠（８）の真上位置に固定される支柱付リング（１０）と、
支柱付リング（１０）に軸ピン（１１）により回転自在に接続されるハンドル（１２）と、
支柱付リング（１０）の支柱に接続された歯止め（１４）と、
ハンドル（１２）の停止位置が垂直になるように、ハンドル（１２）回転時に歯止め（１４）に接触させるスットパー（１３）と、
ストッパー（１３）と支柱付リング（１０）の間に嵌められて、ストッパー（１３）を付勢することによりハンドル（１２）を外側方向に移行させるスプリング（１５）と、
ハンドル（１２）にスライド自在に嵌められたシリンダー（１６）と、
シリンダー（１６）に軸ピンで接続されたクリップ（９）と、
を備え、
シリンダー（１６）は、ネジ（５）によりハンドル（１２）に固定あるいは固定解除可能として、ハンガー（７）の横枠（８）に合わせてクリップ（９）の高さを調整でき、
左右のハンドル（１２）を垂直にした状態で、ハンガー（７）の横枠（８）にクリップ（９）を挟むことにより、ハンガーを固定することができることを特徴とするハンガー固定機。
(57)【要約】      （修正有）【課題】紙コップが転倒しにくく、他人のものと区別し易いカップホルダーを提供する。【解決手段】カップホルダーの重量や形状、又摩擦係数の高い材質によって、紙コップ等を風やテーブル等のぐらつきによる転倒から守るもので、又、固体の色や形を変えることで他人のものとの混同を避けることができる。構造的には、部品１がコップ形状に合わせて開くことによって部品２がコップの底方向へ反る張力が働き、また部品１が元に戻ろうとする復元力が働く、この二つの力が相まってコップをホールドする。部品２を十字型にすることで応力が逃げ、スムースな円弧の張力が生まれ、高いホールド性が得られる。【選択図】図１
2011036362.tif 000002
【特許請求の範囲】
【請求項１】
本発明の重量並びにその形状によって得られる低重心と、摩擦係数並びに復元力が高い材質によって、紙コップ等の簡易容器を転倒から防ぎ、かつ形状や色の違いによって他人のコップとの混同を防ぐカップホルダー。
【発明の詳細な説明】
【技術分野】
【０００１】
本発明は、紙コップ等の簡易容器の転倒と混同を防止するカップホルダーに関するものである。  
【先行技術文献】
【特許文献】
【０００２】
【特許文献１】特開２００２−２４８０４４号公報
【発明の概要】
【発明が解決しようとする課題】
【０００３】
紙コップ等の簡易容器は、中身が空または少量の場合、風やテーブル等のぐらつきによって倒れやすく、そのため転がって床や地面に落ちて汚れてしまう。又、色や形が同様のため他人が使用中のものと混同しやすく、その都度新しい物と交換する事が多く、不経済でありエコロジーに反する。
【課題を解決するための手段】
【０００４】
本発明は、カップホルダーの重量や形状、又摩擦係数の高い材質によって、紙コップ等を風やテーブル等のぐらつきによる転倒から守るもので、又、固体の色や形を変えることで他人のものとの混同を避けることができる。
【発明の効果】
【０００５】
少しの風やテーブル等のぐらつきからくる容器の転倒から開放され、又、テーブル上で転倒し転がって床や地面に落下して汚れてしまうことを防ぐことができる。又、色や形を変えることで、他人との混同を避けることができ、かつ華やいだ雰囲気を演出する事ができる。
【図面の簡単な説明】
【０００６】
【図１】図１はカップホルダーの実施方法を示した説明図である。（実施例１）
【図２】図２はカップホルダーの説明図である。（実施例２）
【図３】図３はカップホルダーの説明図である。（実施例３）
【発明を実施するための形態】
【０００７】
紙コップまたはプラスチックコップの転倒を回避するため、またそれらコップと本発明のホールド性を高めるために摩擦係数並びに復元力の高いプラスチック材料を使用し、コストを抑えるため板材から生産できる形状とした。又、他人との混同を避けるために材料の色を複数とし、キャラクター的要素を取り入れた形状とした。
【実施例１】
【０００８】
図１は、本発明の実施例のパース図であって、コップをホールドすることを示す。
【実施例２】
【０００９】
図２は、本発明のパース図であって、コップに装着前の状態を示すものである。
【実施例３】
【００１０】
図３は、本発明のパース図であって、コップに装着後の本発明単独の状態を現すもので、部品１がコップ形状に合わせて開くことによって部品２がコップの底方向へ反る張力が働き、また部品１が元に戻ろうとする復元力が働く、この二つの力が相まってコップをホールドしていることを示す。特に部品２を十字型にすることで応力が逃げ、スムースな円弧の張力が生まれ、高いホールド性が得られた。
【符号の説明】
【００１１】
１    ホルダー部品腕
２    ホルダー部品足
【図１】
2011036362.tif 000003
【図２】
2011036362.tif 000004
【図３】
2011036362.tif 000005
(57)【要約】【課題】本発明は、茸の菌床栽培における培地仕込み工程において、水溶性成分含有物質組成の有効成分の抽出において殺菌する方法及び製造を提供する。【解決手段】本発明は、水溶性被抽出原料を浸透性のある袋状に入れ、それを電気分解酸性水に入れる事の効果で、殺菌作用が働き、さらにアルカリ性で中和反応されることで、抽出物成分組成抽出が効率良く製造され、することを特徴とする茸の菌床栽培における培地基材の処理方法。【選択図】なし【特許請求の範囲】
【請求項１】
茸の菌床栽培における培地仕込み工程において、培地基材を電気分解水の酸性水ｐＨ３±１を透水性のある袋素材に入れ培地基材内部に電気分解水を浸漬することにより殺菌効果を得ることを特徴とする茸の菌床栽培における培地基材の処理方法。
【請求項２】
請求項１の培地基材に電気分解水のアルカリ水ｐＨ１０±１に浸漬することにより中和反応の被抽出物成分組成抽出を得たことを特徴とする茸の菌床栽培における培地基材の処理方法。
【請求項３】
請求項２に請求項１の単独で用いても良く、また請求項１に請求項２の被抽出物素材混合によって成分組成を得ることを特徴とする茸の菌床栽培における培地基材の処理方法。
【請求項４】
請求項３において好ましくは電気分解水を用いると良いが、水道水、天然水、ミネラル水、酸化還元水、活性水、製氷水、超微粒子水を用いることの想定内、同等の成果を得ることを特徴とする茸の菌床栽培における培地素材の処理方法。
【請求項５】
前記、請求項１から４において本発明趣旨を逸脱しない範囲の変更は、本発明に含まれる。
【発明の詳細な説明】
【技術分野】
【０００１】本発明は、茸の菌床栽培における培地仕込み工程において、電気分解水を用いた被抽出物質から得られる含有物質の成分組成の製造に関するものである。【０００２】電気分解水によるｐＨ調整化合物の成分組成を大量生産が可能なことから、産業開発において期待できる。【０００３】被抽出物質の成分組成の利便性に関するものである。
【背景技術】
【０００４】成分物質については，公知とされている。しかし、ボイラ−による加熱殺菌方法が採用され、培地内在の茸菌糸の揮発性成分が放散され培地環境を弱め、菌糸に不均一が生じ、有効のないままが実態である。ボイラ−設備、伴う燃料の導入コストの高額・環境問題に問題がある。
【発明の開示】
【発明が解決しようとする課題】
【０００５】本発明は、前記従来を鑑みて、茸の菌床栽培の培地基材仕込み工程において、電気分解水を浸漬することにより殺菌効果が容易に確実に効果が得られる。【０００６】本発明は、このような実状に鑑みなされたものであり、成分物質は水溶性成分を含有していることからボイラ−による加熱方法から、電気分解水を用いたｐＨ調整可能とする被抽出物質の菌糸に必要な水分補給を与える茸菌の成分を促進とする含有成分組成を発揮させる茸の菌床栽培における培地基材の処理方法とその提供を目的とする。
【課題を解決するための手段】
【０００７】課題を解決するため、被抽出物質を電気分解水でｐＨ調整可能とした本発明技術は、浸透性の装置に被抽出物を封入することで有効成分の組成構造の茸の菌床栽培における培地基材を図ったことによる、好ましい選択の合理的構成が得られ、この発明に到達した。
【発明の効果】
【０００８】以上のように、本発明技術は、有効成分を無駄なく発揮され、融合性に優れ、汎用され、産業への期待は大きい。【０００９】この発明は、原料となるものを浸透性のある袋状にいれ、それを水中に入れ成分が濾過され、抽出物として、効率が良く製造されることを特徴とする。【００１０】天然素材の有用な物質は、各地域の地域資源の利用技術となり、しかも、天然資源の活用から安定供給ができ、規模の自在設定ができることからも地域産業に貢献することを特徴とする。
【発明を実施するための最良の形態】
【００１１】本発明は、有効成分組成を請求項１から請求項５から得たことを特徴とする。例えば、前述の被抽出物質を透水性の良い袋状に入れ、電気分解水の酸性・アルカリ性のｐＨ調整液体物質に浸漬ことで成果を得た。培地基材による成分組成加工を図ることの選択による好ましい効果が得られる。【００１２】上記技術でもって、有効物質の含有する成分を効率よく抽出できる。成分を多く含む効果を得ることができる。前述の好ましくは電気分解水を用いるのが良いが、酸性を保持し、水道水・天然水・ミネラル水・酸化還元水・活性水・製氷水・超微粒子水等の用いることに限るものではない。発明趣旨を逸脱しない範囲の変更は、本発明に含まれることを特徴とした。
【産業上の利用可能性】
【００１３】本発明の、成分組成の抽出する方法及び製造方法は、天然素材加工技術によることを特徴としている。【００１４】上記、地域の天然資源を活用することで産業上の利用可能性を有する。
(57)【要約】【課題】  数量の確保、形状の追求、対衝撃性、衛生面の確立に優れた人工骨を用いた漫画肉の製造方法を提供する。【解決手段】  漫画肉の骨に、食べる事を目的とせず、尚且つセラミック及び陶磁器を除く耐熱性素材を用いた人工骨を使用した事を特徴とする人工骨使用漫画肉の製造方法。【選択図】図１
2011229518.tif 000002
【特許請求の範囲】
【請求項１】
漫画肉の骨に、食べる事を目的とせず、尚且つセラミック及び陶磁器を除く耐熱性素材を用いた人工骨を使用した事を特徴とする人工骨使用漫画肉の製造方法。
【発明の詳細な説明】
【技術分野】
【０００１】  本発明は本物の骨の代わりに、食べる事を目的とせず、尚且つセラミック及び陶磁器を除く耐熱性素材を用いた人工骨を使用した事を特徴とする人工骨使用漫画肉の製造方法に関するものである。
【技術背景】
【０００２】  従来、漫画肉は豚などの本物の骨にスライス肉やひき肉を巻き付けるなどして作られていた。
そしてその後、セラミック及び陶磁器による人工骨を用いた漫画肉が考案された。
また、乾パンなど穀物紛等を硬く焼き固めて骨の形に形成し、骨も残さず食べてしまえるタイプの物も考案された。
【発明の開示】
【発明が解決しようとする課題】
【０００３】  それらには、次のような問題点があった。
（イ）本物の骨は入手が困難だった。
（ロ）本物の骨は狂牛病などの病気が骨を介して伝染するなど、衛生面という観点で問題があった。
（ハ）本物の骨は形状、サイズ共に理想的な漫画肉を作るのに適した物を見つける事が困難だった。
（ニ）セラミック及び陶磁器製の骨は製造費が高くついた。
そのため、ファーストフードとしての売り切りの商品になりえなかった。
（ホ）セラミック及び陶磁器製の骨は衝撃に弱く折れやすかった。
それ故に食事中に折れて口を切る等の事故が起こる可能性があった。
（ヘ）穀物紛等を硬く焼き固めた骨は食べることを目的としているため、水分でふやけた。それ故に骨としての強度を様々な状況下で維持することか難しかった。
【課題を解決するための手段】
【０００４】  漫画肉の骨に、食べる事を目的とせず、尚且つセラミック及び陶磁器を除く耐熱性素材を用いた人工骨をを使用する。以上を特徴とする人工骨使用漫画肉の製造方法である。
【発明の効果】
【０００５】  漫画肉に用いる骨が人工骨になると、まず必要な時に必要な数だけ準備できる上在庫も可能となる。衛生面の管理も万全を期す事がきて安全な食品として漫画肉を世の中に供給することができる。
人工骨は使い捨てタイプの物も、安価に大量に確保できる。
セラミック及び陶磁器等の衝撃に弱い素材を用いないので、折れる等の破損に伴う、口を切る等の事故が起こらない。
漫画肉は骨のサイズで巻き付ける肉の分量が決まるので、人工骨を使用すると調理者の理想とする形状の漫画肉を追求することが可能となる。
骨自体の形状も漫画肉の外観を左右する物であるので、調理者の理想とする形状に作り上げる事ができ、商品価値を高める事が可能となる。
【発明を実施するための最良の形態】
【０００６】以下、本発明の実施の形態を説明する。
第一工程  木、竹、或いは耐熱性のプラスチックで漫画肉の人工骨（１）を作る。
ここで言う耐熱性のプラスチックとは２５０度Ｃ前後の耐熱性をもち、食器に用いて問題の無い物を指す。
漫画肉の完成形状は骨の形状によって決定される。
漫画やアニメに登場する漫画肉にきわめて近い形状を生み出すために最的な骨の形状は、おそらく人の上腕骨である。
しかし、例えば人の平均的な体格の成人男性の上腕骨そのままのサイズで漫画肉を作ると、巻き付ける肉（２）の量が５００ｇ前後となり、成人男性でも食べきれない量となってしまう。
そこで、木、竹、或いは耐熱性のプラスチックで作る人工骨（１）は人の上腕骨の７５％ぐらいのサイズに縮小することによって、巻き付ける肉（２）の量を３００ｇ前後におさえ、尚かつ理想形状をも維持できるようになる。
関節部も実際の骨よりも、やや小ぶりに形成する。
第二工程  人工骨（１）に形良くスライス肉（２）を巻き付ける。
人によって理想と感じる漫画肉の形状は違うが、おそらくはこれで一般的によくできた漫画肉として受け入れられるであろう人工骨と巻き付ける肉の比率は、骨の平均直径を１とすると、
骨の直径×１２＝全長
骨の直径×４＝肉の直径
骨の直径×５＝肉の長さ
骨の直径×２＝関節の最大部
ぐらいにまとめる。
第三工程  ポリフィルムで真空パックする。
第四工程  真空パツクごとボイルして中まで火を通す。
第五工程  マイナス１０度前後で冷凍する。
これを食する際には、解凍したあとボイルするか電子レンジで加熱の後、真空パックを破り焼き目をつければ漫画肉の完成となる。
２００度Ｃ前後の調理であれば、木、竹、耐熱性プラスチックは十分に熱に耐える。
【図面の簡単な説明】
【０００７】
【図１】本発明の斜視図
【図２】本発明の人工骨の斜視図
【図３】真空パックを施した本発明の斜視図
【符号の説明】
【０００８】  １  人工骨
２  肉
【図１】
2011229518.tif 000003
【図２】
2011229518.tif 000004
【図３】
2011229518.tif 000005
(57)【要約】【課題】本発明は、酒のもろみを空気圧により自動制御で何時間でも無人で連続圧搾する。【解決手段】本考案は操作ボックス１上の運転ボタンを押すと、槽２上部にある圧搾板３がギヤードモーター４の駆動により上下用スプロケット５を介し、スライド用ネジ６が下降し圧搾板３が槽２上に降下する。リミットスイッチ７が作動し、圧搾板３内にエアーを送りバルーン８が膨らみ圧搾板３がより降下する。圧搾板３が降下するとリミットスイッチ９が作動し、圧搾板３内のエアーが三方ベン１０を開放しより内部バルーン８のエアー圧が下がる。操作ボックス１内にあるタイマーによりギヤードモーター４が駆動する。スライド用ネジ６を介し圧搾板３が降下し、リミットスイッチ９が作動し圧搾板３内にエアーを送りバルーン８が膨らみ圧搾板２がより降下する。このような動作が繰りかえされることにより圧搾板３の降下の自動化ができる酒用圧搾機。【選択図】図3
2011229509.tif 000002
【特許請求の範囲】
【請求項１】
本考案は操作ボックス上の運転ボタンを押すと、槽上部にある圧搾板がギヤードモーターの駆動により上下用スプロケットを介し、スライド用ネジが下降し圧搾板が槽上に降下する。リミットスイッチが作動し、圧搾板内にエアーを送りバルーンが膨らみ圧搾板がより降下する。圧搾板が降下するとリミットスイッチが作動し、圧搾板内のエアーが三方ベンを開放しより内部バルーンのエアー圧が下がる。操作ボックス内にあるタイマーによりギヤードモーターが駆動する。スライド用ネジを介し圧搾板が降下し、リミットスイッチが作動し圧搾板内にエアーを送りバルーンが膨らみ圧搾板がより降下する。
このような動作が繰りかえされることにより、圧搾板の降下の自動化ができる酒用圧搾機。
【請求項２】
バルーンを使用することにより柱状であれは、大きさ形状に関係なく圧力がかけられる。
【発明の詳細な説明】
【技術分野】
【０００１】
本考案はもろみを自動制御の空圧式により自動圧搾する機械である。
【背景技術】
【０００２】
発酵の終ったもろみを液状部分（清酒）と固形部分(粕)に分離する。この操作を上槽（じょうそう、あげふね）といい槽または濾過圧搾機を用いる。（非特許文献1参照）
従来の槽を利用して絞る方法には、おもりや油圧シリンダーを利用して絞る方法がある。
以下、図1、図2により従来の槽を用いる操作について説明する。図1は、槽の中に炉布袋に入れたもろみを積み重ね、檜の角材も重ねおもりを利用し、てこの原理で加圧していく。図2はおもりの代わりに油圧シリンダーを利用し槽の中に炉布袋に入れたもろみを積み重ね、檜の角材を重ねシリンダーを利用し加圧していく。
【先行技術文献】
【非特許文献】
【０００３】
【非特許文献１】「清酒製造技術」  発行人「財団法人  日本醸造協会」P.229    9.上槽・粕
【発明の概要】
【発明が解決しようとする課題】
【０００４】
槽を利用して絞る方法では、進行に伴い、おもりをはずして角材を増やし又おもりをかける、という作業がたびたび必要である。その上、一点に圧力が掛かるため角材の変形にもつながる。角材が変形するともろみに均一に圧力が掛かりにくくなっていき効率が悪くなる。油圧シリンダーを利用する方法も進行に伴い角材を増やす作業が必要であり、一点に圧力がかかる為、おもりを利用する場合と同じ不都合が生じる。その上内蔵されている油漏れも心配される。
【課題を解決するための手段】
【０００５】
本考案は操作ボックス上の運転ボタンを押すと、槽上部にある圧搾板がギヤードモーターの駆動により上下用スプロケットを介し、スライド用ネジが下降し圧搾板が槽上に降下する。リミットスイッチが作動し、圧搾板内にエアーを送りバルーンが膨らみ圧搾板がより降下する。圧搾板が降下するとリミットスイッチが作動し、圧搾板内のエアーが三方ベンを開放しより内部バルーンのエアー圧が下がる。操作ボックス内にあるタイマーによりギヤードモーターが駆動する。スライド用ネジを介し圧搾板が降下し、リミットスイッチが作動し圧搾板内にエアーを送りバルーンが膨らみ圧搾板がより降下する。このような動作が繰りかえされることにより、圧搾板の降下の自動化ができる。
【発明の効果】
【０００６】
上述の様に、エアーと電気制御により、油圧より微調整も可能となり、好みの圧力を選定することにより絞り加減を調整することができ、酒に特徴を出すことができる。バルーンの使用により、角材の、増量の手間も要らず無人で連続圧搾が可能となる。
槽全面に、しかも均一に圧力を掛けることができる。エアー漏れがあっても、製品を汚染することもない。
【図面の簡単な説明】
【０００７】
【図１】おもりを利用して圧搾する方法の図である。
【図２】油圧シリンダーを利用して圧搾する方法の図である。
【図３】本考案のもろみ自動制御空圧式圧搾機の断面図である。
【図４】もろみ自動制御空圧式圧搾機の正面図である。
【発明を実施するための形態】
【実施例】
【０００８】
本考案は操作ボックス上の運転ボタンを押すと、槽上部にある圧搾板がギヤードモーターの駆動により上下用スプロケットを介し、スライド用ネジが下降し圧搾板が槽上に降下する。リミットスイッチが作動し、圧搾板内にエアーを送りバルーンが膨らみ圧搾板がより降下する。圧搾板が降下するとリミットスイッチが作動し、圧搾板内のエアーが三方ベンを開放しより内部バルーンのエアー圧が下がる。操作ボックス内にあるタイマーによりギヤードモーターが駆動する。スライド用ネジを介し圧搾板が降下し、リミットスイッチが作動し圧搾板内にエアーを送りバルーンが膨らみ圧搾板がより降下する。このような動作が繰りかえされることにより、圧搾板の降下の自動化ができる。
【符号の説明】
【０００９】
1  操作ボックス
2  槽
3  圧搾板
4  ギヤードモーター
5  上下用スプロケット
6  スライド用ネジ
７ リミットスイッチ
8  バルーン
9  リミットスイッチ
10  三方ベン
【図１】
2011229509.tif 000003
【図２】
2011229509.tif 000004
【図３】
2011229509.tif 000005
【図４】
2011229509.tif 000006
(57)【要約】      （修正有）【課題】地球温暖化防止の為の排ガス削減による環境保護と省エネ技術を提供する。【解決手段】自動車の車体内部に中空の配管１を設置し、前記中空配管１の内部又は配管の後端の直後に壁及び天井のカバーに囲まれたタービン又はプロペラ２を空間に支柱で支えて設置し、タイヤ５にライト６等備品を装備した車体を設置して、動力により駆動に伴って移動する気流を動力源として、支柱で支えられたタービン又はプロペラ２の羽根を回転させて揚力を発生させることによって車体を持上げて軽量化させ、バッテリー負荷を軽減させてモーターの駆動力を増大させる。【選択図】図１
2011229354.tif 000002
【特許請求の範囲】
【請求項１】
自動車の車体の内部に前方から後方に中空のパイプを設置し、前記パイプの管内か、パイプの先端か後端の直後の位置にタービン又はプロペラを取付け、自動車の駆動時に発生する気流を動力源として、前記タービン又はプロペラの羽根を回転させることによって生じる揚力で車体を持上げて車重を軽量化させ、本来の自動車の駆動力を、更に、増大させるメカニズムの省エネ及び排ガス削減技術。
【請求項２】
自動車の駆動の際、中空の配管中か、それに連続して取り付けたタービン又はプロペラを駆動時に発生する気流だけで回転させて発生させる揚力で、同時に、発生する抗力を自動車の動力負荷に荷重を与えずに、従って、重量を軽減させて駆動力を増大させるメカニズムの省エネ及び排ガス削減技術。
【請求項３】
前記中空のパイプに傾斜を付けてパイプ内の気流の流速を早め、前記タービンやプロペラの回転力を増大させ、更に、飛行機の尾翼にフラッパーを付けて揚力を増大させる構造のように、前記パイプの後端部のカバーの内部の天井に丸みを施して揚力を増大させる構造。
【発明の詳細な説明】
【技術分野】
【０００１】排ガス低減及び省エネ自動車
【技術背景】
【０００２】地球温暖化防止の為の排ガス削減による環境保護と省エネ技術。
【発明の開示】
【０００３】自動車の正面を気流の入口とする中空の管を後方に設置し、管の後端か、管の直後のカバーの壁及び天井に囲まれた空間にタービン又はプロペラを設置し、自動車の駆動に伴って前記管内を移動する気流により回転させられることによって、回収エネルギーのみが発生させる揚力によって自動車の動力源に抗力負荷を懸けることなく、前記車体を上方に持上げて車重を軽減する省エネ自動車。
【図面の簡単な説明】
【０００４】
【図１】当該揚力利用省エネ自動車の正面図の一例。
【図２】当該揚力利用省エネ自動車の断面図の一例。
【符号の説明】
【０００５】１．中空配管        ２．タービン又はプロペラ    ３．バッテリー
４．モーター        ５．タイヤ                  ６．ライト
７．タービン支柱    ８．半円形のタービンカバー
【発明の詳細な説明】
【０００６】当該発明は、自動車の車体内部に中空の配管（１）を設置し、前記中空配管（１）の内部又は配管の後端の直後に壁及び天井のカバーに囲まれたタービン又はプロペラ（２）を空間に支柱（７）で支えて設置し、従来の自動車の構造と同じくタイヤ（５）にライト（６）等備品を装備した車体を設置して、動力により駆動に伴って移動する気流を動力源として、支柱（７）で支えられたタービン又はプロペラ（２）の羽根を回転させて揚力を発生させることによって車体を持上げて軽量化させ、バッテリー負荷を軽減させてモーター（４）の駆動力を増大させるメカニズムの省エネエコカーです。
【図１】
2011229354.tif 000003
【図２】
2011229354.tif 000004
(57)【要約】      （修正有）【課題】強力な磁石を使って鉄のエナメル線に電気を起こす。強力磁石（ネオシューム）を使って動力から発電を起こなう。【解決手段】水車とか風力とか自動車のエンジンとかを使う。上水道も使う。モーターは電源があればモーターとなる。３極〜無限極に利用する。【選択図】図１
2011229363.tif 000002
【特許請求の範囲】
【請求項１】
強力発電機
【請求項２】
強力モーター
【請求項３】
強力磁石使って水車とか、上水道、とか、自動車のエンジンにより発電を起こし、強力発電気とする
【発明の詳細な説明】
【技術分野】
【０００１】電源を接き強力磁石と鉄にエナメル線を巻いた物を使う
【背景技術】
【０００２】
【特許文献１】強力発電気
【非特許文献１】強力モーター
【発明の開示】
【発明が解決しようとする課題】強力磁石を使う。
ネオジュームを使って強力な発電を起こす。
【課題を解決するための手段】
【発明の効果】自動車のハイブリットカーに使う。
ネオジュームを使って電力を起こす。
【発明を実施するための最良の形態】３Ｐでも無限Ｐでもよい。
【実施例】自動車の車輪を回す。
水車など
【産業上の利用可能性】水車、上水道、風力、自動車のエンジンを動力と利用する。電気を起こす。及びモーターにする。
【図面の簡単な説明】
【図１】立面断面図
【図２】側面断面図を見れば良い
【符号の説明】強力磁石（ネオジューム）
【図１】
2011229363.tif 000003
【図２】
2011229363.tif 000004